(57)【要約】【課題】給湯負荷によらず安定して湯を供給することができ、かつ、システム効率を向上させる。【解決手段】ハイブリッド給湯システム１００は、貯湯タンク１０１内の湯水を加熱するための熱源として、ヒートポンプ式加熱装置１０２と補助加熱装置１１５を備え、ヒートポンプ式加熱装置１０２及び加熱循環ポンプ１０５を駆動して貯湯タンク１０１内の湯水を加熱する沸き上げ運転と、補助加熱装置１１５及び補助加熱循環ポンプ１１６を駆動すると共に貯湯タンク１０１の上部と補助加熱装置１１５とが連通するように切替弁１１７を動作させる補助沸き上げ運転と、を実行可能に構成されている、制御部１２０は、貯湯タンク１０１内の湯量が第一湯量閾値を下回った場合に、沸き上げ運転を実行し、当該湯量が第一湯量閾値よりも小さい第二湯量閾値を下回った場合に、上記沸き上げ運転に加えて補助沸き上げ運転も同時に実行する緊急沸き上げ運転を実行する。【選択図】図６
2016065685.tif 000002
【特許請求の範囲】
【請求項１】
湯水を貯湯する貯湯タンクと、
湯水を加熱する加熱手段と、
一端が前記貯湯タンクの下部に接続され、途中に前記加熱手段が設置され、他端が前記貯湯タンクの上部に接続された加熱循環回路と、
前記加熱循環回路に配置され、湯水を送水する加熱循環ポンプと、
湯水を給湯する給湯手段と、
前記貯湯タンクの上部と前記給湯手段とを接続する給湯第一配管と、
前記給湯手段と前記貯湯タンクの下部とを接続する給湯第二配管と、
前記給湯第一配管の途中と前記給湯第二配管の途中とを接続する給湯第三配管と、
前記給湯第三配管の途中に配置され、湯水を加熱する補助加熱手段と、
前記給湯第三配管の途中に配置され、前記給湯第二配管から前記給湯第一配管へ湯水を送水する補助加熱循環ポンプと、
前記給湯第一配管と前記給湯第三配管との接続部に配置され、前記貯湯タンク、前記補助加熱手段及び前記給湯手段の連通状態を切り替える切替弁と、
前記貯湯タンク内の湯量を検出する湯量検出手段と、
前記加熱手段、前記加熱循環ポンプ、前記補助加熱手段、前記補助加熱循環ポンプ及び前記切替弁の動作を制御する制御部と、を備え、
前記制御部は、
前記湯量が第一湯量閾値を下回った場合に、前記加熱手段及び前記加熱循環ポンプを駆動して前記貯湯タンク内の湯水を加熱する沸き上げ運転を実行し、
前記湯量が前記第一湯量閾値よりも小さい第二湯量閾値を下回った場合に、前記補助加熱手段及び前記補助加熱循環ポンプを駆動すると共に前記貯湯タンクと前記補助加熱手段とが連通するように前記切替弁を動作させる補助沸き上げ運転を前記沸き上げ運転とともに実行するように構成されてなるハイブリッド給湯システム。
【請求項２】
前記加熱循環ポンプは前記加熱手段の一次側に配置され、前記補助加熱循環ポンプは前記補助加熱手段の一次側に配置されている請求項１に記載のハイブリッド給湯システム。
【請求項３】
前記制御部は、前記沸き上げ運転が終了した場合に、前記加熱循環ポンプを一定時間動作させるように構成されてなる請求項１又は請求項２に記載のハイブリッド給湯システム。
【請求項４】
前記制御部は、前記補助沸き上げ運転が終了した場合に、前記補助加熱循環ポンプを一定時間動作させるように構成されてなる請求項１から請求項３の何れか１項に記載のハイブリッド給湯システム。
【請求項５】
前記加熱手段への入水温度を検出する入水温度センサと、
前記加熱手段からの出湯温度を検出する出湯温度センサと、を備え、
前記制御部は、
前記沸き上げ運転の実行中における前記入水温度と前記出湯温度との温度差が基準温度差よりも小さい場合に、前記沸き上げ運転を停止して前記補助沸き上げ運転を実行するように構成されてなる請求項１から請求項４の何れか１項に記載のハイブリッド給湯システム。
【請求項６】
前記ハイブリッド給湯システムの設定を行うリモコンを備え、
前記制御部は、前記沸き上げ運転の実行中における前記入水温度と前記出湯温度との温度差が基準温度差よりも小さい場合に、前記加熱手段の故障を前記リモコンから報知するように構成されてなる請求項５に記載のハイブリッド給湯システム。
【請求項７】
前記加熱手段のエネルギコスト及び加熱能力から前記加熱手段の加熱効率を算出する手段と、
前記補助加熱手段のエネルギコスト及び加熱能力から前記補助加熱手段の加熱効率を算出する手段と、を備え、
前記制御部は、前記沸き上げ運転の実行中において前記加熱手段の加熱効率が前記補助加熱手段の加熱効率を下回った場合に、前記沸き上げ運転を停止して前記補助沸き上げ運転を開始するように構成されてなる請求項１から請求項６の何れか１項に記載のハイブリッド給湯システム。
【請求項８】
前記制御部は、前記加熱循環ポンプ又は前記補助加熱循環ポンプの動作実績を監視し、前回の動作実績からの不動作の時間が基準経過時間を超えた場合、当該ポンプを一定時間動作させるように構成されてなる請求項１から請求項７の何れか１項に記載のハイブリッド給湯システム。
【請求項９】
前記制御部は、給湯要求が出された場合に、前記貯湯タンクと前記給湯手段が連通するように前記切替弁を動作させて前記給湯手段から給湯を行うように構成されてなる請求項１から請求項８の何れか１項に記載のハイブリッド給湯システム。
【請求項１０】
前記制御部は、前記湯量が枯渇判定閾値を下回った状態で給湯要求が出された場合に、前記補助加熱手段及び前記補助加熱循環ポンプを駆動すると共に前記補助加熱手段と前記給湯手段とが連通するように前記切替弁を動作させて前記給湯手段から給湯を行うように構成されてなる請求項１から請求項９の何れか１項に記載のハイブリッド給湯システム。
【請求項１１】
前記制御部は、給湯要求が出されていない場合に、前記補助加熱手段と前記給湯手段とが連通するように前記切替弁を動作させて前記補助加熱循環ポンプを駆動するとともに前記補助加熱手段を選択的に動作させる保温運転を実行するように構成されてなる請求項１から請求項１０の何れか１項に記載のハイブリッド給湯システム。
【発明の詳細な説明】
【技術分野】
【０００１】
本発明は、複数の加熱手段を備えるハイブリッド給湯システムに関する。
【背景技術】
【０００２】
従来、例えば特許文献１には、ヒートポンプ熱源器とヒートポンプ熱源器以外の補助熱源器とを有する装置が開示されている。この装置では、ヒートポンプ熱源器のランニングコストと補助熱源器のランニングコストとを比較して、ランニングコストが小さい熱源器を選択して運転し、もう一方の熱源器の運転を禁止することとしている。
【先行技術文献】
【特許文献】
【０００３】
【特許文献１】特開２００９-２７５９５７号公報
【発明の概要】
【発明が解決しようとする課題】
【０００４】
しかしながら、上述した従来の装置では、給湯負荷が想定よりも大きくなり貯湯タンク内の残湯量が少なくなった場合でも、運転可能な熱源器はランニングコストの観点から選択されたものに限定される。このため、従来の装置では、加熱できる湯の生成量が制限されてしまい湯切れするといった課題がある。
【０００５】
本発明は、上述のような課題を解決するためになされたもので、複数の加熱手段を備えるハイブリッド給湯システムにおいて、給湯負荷によらず安定して湯を供給することができ、且つ効率性に優れたハイブリッド給湯システムを提供することを目的とする。
【課題を解決するための手段】
【０００６】
本発明に係るハイブリッド給湯システムは、湯水を貯湯する貯湯タンクと、湯水を加熱する加熱手段と、一端が貯湯タンクの下部に接続され、途中に加熱手段が設置され、他端が貯湯タンクの上部に接続された加熱循環回路と、加熱循環回路に配置され、湯水を送水する加熱循環ポンプと、湯水を給湯する給湯手段と、貯湯タンクの上部と給湯手段とを接続する給湯第一配管と、給湯手段と貯湯タンクの下部とを接続する給湯第二配管と、給湯第一配管の途中と給湯第二配管の途中とを接続する給湯第三配管と、給湯第三配管の途中に配置され、湯水を加熱する補助加熱手段と、給湯第三配管の途中に配置され、給湯第二配管から給湯第一配管へ湯水を送水する補助加熱循環ポンプと、給湯第一配管と給湯第三配管との接続部に配置され、貯湯タンク、補助加熱手段及び給湯手段の連通状態を切り替える切替弁と、貯湯タンク内の湯量を検出する湯量検出手段と、加熱手段、加熱循環ポンプ、補助加熱手段、補助加熱循環ポンプ及び切替弁の動作を制御する制御部と、を備え、制御部は、湯量が第一湯量閾値を下回った場合に、加熱手段及び加熱循環ポンプを駆動して貯湯タンク内の湯水を加熱する沸き上げ運転を実行し、湯量が第一湯量閾値よりも小さい第二湯量閾値を下回った場合に、補助加熱手段及び補助加熱循環ポンプを駆動すると共に貯湯タンクと補助加熱手段とが連通するように切替弁を動作させる補助沸き上げ運転を沸き上げ運転とともに実行するように構成されてなるものである。
【発明の効果】
【０００７】
本発明のハイブリッド給湯システムによれば、給湯負荷によらず安定して湯を供給することができ、且つ効率性に優れたハイブリッド給湯システムを提供することができる。
【図面の簡単な説明】
【０００８】
【図１】本発明を具体化したハイブリッド給湯システムの概略図である。
【図２】本発明の実施の形態１におけるハイブリッド給湯システムの沸き上げ運転時の回路構成図である。
【図３】本発明の実施の形態１におけるハイブリッド給湯システムの通常給湯時の回路構成図である。
【図４】本発明の実施の形態１におけるハイブリッド給湯システムの補助熱源加熱給湯時の回路構成図である。
【図５】本発明の実施の形態１におけるハイブリッド給湯システムの給湯回路保温運転時の回路構成図である。
【図６】本発明の実施の形態１におけるハイブリッド給湯システムの補助沸き上げ運転時の回路構成図である。
【図７】本発明の実施の形態２におけるハイブリッド給湯システムの補助沸き上げ運転時の回路構成図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明を具体化したハイブリッド給湯システム１００の概略図である。この図に示すように、ハイブリッド給湯システム１００は、湯水を貯留する貯湯タンク１０１内の水を沸き上げるための複数の熱源として、ヒートポンプ式加熱装置１０２と補助加熱装置１１５を備えている。貯湯タンク１０１とヒートポンプ式加熱装置１０２とは、貯湯タンク１０１の下部とヒートポンプ式加熱装置１０２の入口とを接続するＨＰ往き配管１０３と、ヒートポンプ式加熱装置１０２の出口と貯湯タンク１０１の上部とを接続するＨＰ戻り配管１０４とにより接続されている。また、ヒートポンプ式加熱装置１０２の一次側に相当するＨＰ往き配管１０３の途中には加熱循環ポンプ１０５が設けられている。これにより、貯湯タンク１０１の下部から取り出された水は、ヒートポンプ式加熱装置１０２において高温の湯に沸き上げられた上で、貯湯タンク１０１の上部に戻されるようになっている。以下、ＨＰ往き配管１０３及びＨＰ戻り配管１０４とによって構成される回路を「加熱循環回路」１０６と称することとする。
【００１１】
ヒートポンプ式加熱装置１０２は、貯湯タンク１０１から導かれた低温水を加熱するための加熱手段として機能するものである。ヒートポンプ式加熱装置１０２は、冷凍サイクル（ヒートポンプサイクル）を利用して低温水を効率的に加熱することができる。なお、ヒートポンプ式加熱装置１０２で高温水を得るためには、ヒートポンプサイクルは、冷媒として二酸化炭素を用い、臨界圧を越える圧力で運転することが好ましい。
【００１２】
また、ＨＰ往き配管１０３及びＨＰ戻り配管１０４には、入水温度センサ１０７及び出湯温度センサ１０８がそれぞれ設けられている。入水温度センサ１０７は、ヒートポンプ式加熱装置１０２への入水温度、つまり貯湯タンク１０１下部からヒートポンプ式加熱装置１０２へ流入する低温水の温度を検知する。また、出湯温度センサ１０８は、ヒートポンプ式加熱装置１０２からの出湯温度、つまりヒートポンプ式加熱装置１０２において加熱された高温水の温度を検知する。
【００１３】
貯湯タンク１０１の下部には、市水を供給するための給水配管１０９が接続されている。これにより、貯湯タンク１０１は常時湯水で満たされた状態で定圧に保たれている。貯湯タンク１０１には、ヒートポンプ式加熱装置１０２を用いて加熱された高温水がタンク上部から流入されるとともに、給水配管１０９を介して低温水をタンク下部から流入させることにより、タンク内の上部と下部で温度差が生じるように湯水が貯留される。また、貯湯タンク１０１には、貯湯タンク１０１内の湯量を検出する湯量検出手段としての複数の湯量センサ１１０が高さを変えて設けられている。
【００１４】
貯湯タンク１０１の上部には、貯留した湯水を給湯機外部へ供給するための給湯第一配管１１１の一端が接続され、その他端には給湯手段１１２が接続されている。給湯手段１１２は、例えば開閉弁によって構成され、使用者による給湯要求を受けて開閉弁を開弁することにより給湯機外部へ湯水を流通させるものである。また、給湯手段１１２には、給湯第一配管１１１を流通した湯水を再びシステム内へ流通させる給湯第二配管１１３の一端が接続されている。給湯第二配管１１３の他端は、貯湯タンク１０１の下部に接続されている。
【００１５】
また、給湯第二配管１１３の途中と給湯第一配管１１１の途中とは、給湯第三配管１１４によって接続されている。上述した補助加熱装置１１５は給湯第三配管１１４に配置されている。補助加熱装置１１５は、貯湯タンク１０１から導かれた低温水を補助的に加熱するための補助加熱手段として機能するものであり、例えばヒートポンプ加熱装置とは異なる他の加熱装置としてガス式加熱装置を用いることができる。また、給湯第三配管１１４における補助加熱装置１１５の一次側には、補助加熱循環ポンプ１１６が配置されている。
【００１６】
給湯第三配管１１４と給湯第一配管１１１との接続部には、回路切替を行うための切替弁１１７が設けられている。切替弁１１７は三方弁として構成され、貯湯タンク１０１、補助加熱装置１１５及び給湯手段１１２の連通状態を切り替えることが可能に構成されている。また、給湯第一配管１１１における切替弁１１７と給湯手段１１２との間には、給湯手段１１２へ流れる湯水の温度を検知するための温度センサ１１８が配置されている。また、給湯第二配管１１３における給湯第三配管１１４との接続部と給湯手段１１２との間には、給湯手段１１２からシステム内へ循環される湯水の温度を検知するための温度センサ１１９が配置されている。
【００１７】
ハイブリッド給湯システム１００には、各種構成要素と電気的に接続された制御部１２０が内蔵されている。ハイブリッド給湯システム１００は当該制御部１２０によって制御される。
【００１８】
次に、ハイブリッド給湯システム１００が備える機能について説明する。
【００１９】
（沸き上げ運転）
図２は、本発明の実施の形態１におけるハイブリッド給湯システム１００の沸き上げ運転時の回路構成図である。沸き上げ運転は、ヒートポンプ式加熱装置１０２を用いて貯湯タンク１０１内の湯水を加熱する運転であって、貯湯タンク１０１内の湯量が給湯又は放熱により減少し、当該湯量が第一湯量閾値(例えば、２００Ｌ)以下になった場合に実施される。沸き上げ運転では、制御部１２０は加熱循環ポンプ１０５を動作させて貯湯タンク１０１下部の低温水をヒートポンプ式加熱装置１０２に供給する。ヒートポンプ式加熱装置１０２では供給された低温水を加熱して高温水を生成する。生成された高温水は貯湯タンク１０１上部から内部に戻されて貯湯される。この沸き上げ運転は、制御部１２０と通信可能に構成されたリモコン（図示省略）でユーザーが設定した湯量又は複数日の給湯負荷から算出した必要貯湯量まで貯湯されるように継続される。
【００２０】
（通常給湯）
図３は、本発明の実施の形態１におけるハイブリッド給湯システム１００の通常給湯時の回路構成図である。通常給湯は、給湯要求が出された場合に、貯湯タンク１０１に貯湯している高温水を給湯手段１１２を介して給湯栓へ供給する運転である。給湯要求の有無は、例えば、ユーザーが給湯栓（図示省略）を開いたことを検知することにより判断することができる。通常給湯では、制御部１２０は、貯湯タンク１０１と給湯手段１１２とが連通するように切替弁１１７を動作させるとともに、給湯手段１１２を開弁して給湯栓へ湯水を供給する。なお、給湯時には、貯湯タンクの上部からの湯の流出に伴って給水配管１０９を介して貯湯タンク１０１の下部から給水が行われる。これにより、貯湯タンク１０１の内部は常時湯水で満たされている状態となる。また、貯湯タンク１０１下部には、給水によって低温水が貯留されることとなるため、沸き上げ運転時の効率が向上する。
【００２１】
（補助熱源加熱給湯）
図４は、本発明の実施の形態１におけるハイブリッド給湯システム１００の補助熱源加熱給湯時の回路構成図である。補助熱源給湯は、貯湯タンク１０１内の残湯が枯渇したときに実施される給湯運転であり、補助加熱装置１１５を用いて水を加熱し、給湯手段１１２を介して給湯栓へ供給する。より詳しくは、制御部１２０は、貯湯タンク１０１内の湯量が枯渇判定閾値を下回っている場合に、補助熱源給湯を実施する。枯渇判定閾値は、貯湯タンク１０１内の残湯が枯渇したことを判定するための閾値として、貯湯タンク１０１の容量等に応じて設定された値が使用される。補助熱源給湯では、制御部１２０は、補助加熱装置１１５と給湯手段１１２とが連通するように切替弁１１７を動作させるとともに、補助加熱装置１１５及び補助加熱循環ポンプ１１６を駆動する。これにより、貯湯タンク１０１の下部から流出した水は、補助加熱循環ポンプ１１６によって補助加熱装置１１５へ供給される。補助加熱装置１１５では、供給された水がユーザーの所望する温度まで加熱される。補助加熱装置１１５から流出した湯は切替弁１１７及び給湯手段１１２を介して給湯栓へ供給される。このように、補助熱源加熱給湯では、過大な給湯負荷があった場合でも、給湯栓への給湯が可能となり、ユーザーは不快に感じることなく使用することができる。
【００２２】
（給湯回路保温運転）
図５は、本発明の実施の形態１におけるハイブリッド給湯システム１００の給湯回路保温運転時の回路構成図である。給湯回路保温運転は、ユーザーが給湯栓を開いた際に所望する温度の湯水が瞬時に給湯できるようにするための運転である。この給湯回路保温運転では、制御部１２０は、給湯要求が出されていない場合に、補助加熱装置１１５と給湯手段１１２とが連通するように切替弁１１７を動作させるとともに、給湯手段１１２と給湯栓との連通を遮断し、補助加熱循環ポンプ１１６を駆動させる。これにより、補助加熱循環ポンプ１１６から吐出された湯水は、補助加熱装置１１５、切替弁１１７及び給湯手段１１２を順に通過して再び補助加熱循環ポンプ１１６の吸込側へ循環される。また、制御部１２０は、補助加熱循環ポンプ１１６を駆動している期間に給湯手段１１２を通過した湯水の温度を温度センサ１１９により常時監視し、この監視温度が監視温度が保温温度上限値を超えた場合に補助加熱装置１１５を一旦停止させ、その後保温温度下限値を下回った場合に、停止していた補助加熱装置１１５を動作させる。なお、保温温度上限値は、例えばユーザー設定温度に設定される。また、保温温度下限値は、ユーザーが給湯栓を開いて湯水に触れた際に不快とならない下限の温度として、予め設定された温度（例えば、ユーザー設定温度−２℃）に設定される。これにより、給湯手段１１２へ流入する湯水の温度が保温温度閾値の近傍に維持されるので、ユーザーが給湯栓を開いた際にユーザーが所望する温度の湯水を瞬時に給湯することが可能となる。
【００２３】
なお、上述した給湯回路保温運転では、監視温度の上限値を設定したが、補助加熱装置１１５を予め設定された運転時間動作させることとしてもよい。この場合、運転時間は、補助加熱装置１１５の加熱能力を考慮した上で、給湯手段１１２へ流入する湯水の温度がユーザーの設定温度を超えない範囲の時間にすればよい。
【００２４】
（緊急沸き上げ運転）
図６は、発明の実施の形態１におけるハイブリッド給湯システム１００の緊急沸き上げ運転時の回路構成図である。緊急沸き上げ運転は、貯湯タンク１０１内の湯量が給湯又は放熱により減少し、当該湯量が上述した第一湯量閾値よりも小さい第二湯量閾値（例えば、１００Ｌ）以下になった場合に実施する運転である。緊急沸き上げ運転では、上述した沸き上げ運転に加えて、補助加熱装置１１５を用いて貯湯タンク１０１内の湯水を加熱する補助沸き上げ運転を同時に行う。より詳しくは、制御部１２０は加熱循環ポンプ１０５を動作させて貯湯タンク１０１下部の低温水をヒートポンプ式加熱装置１０２に供給する。ヒートポンプ式加熱装置１０２では、供給された低温水を加熱して高温水を生成する。生成された高温水は貯湯タンク１０１上部から内部に戻されて貯湯される。また、これと同時に制御部１２０は、補助加熱装置１１５と貯湯タンク１０１とが連通するように切替弁１１７を動作させるとともに、補助加熱循環ポンプ１１６を動作させて貯湯タンク１０１下部の低温水を補助加熱装置１１５に供給する。補助加熱装置１１５では、供給された低温水を加熱して高温水を生成する。生成された高温水は貯湯タンク１０１上部から内部に戻されて貯湯される。これにより、沸き上げ運転よりも早い時間で多くの高温水を貯湯することが可能となり、湯切れを回避することができる。なお、この緊急沸き上げ運転は、リモコン（図示省略）でユーザーが設定した湯量又は複数日の給湯負荷から算出した必要貯湯量まで貯湯されるように継続される。
【００２５】
ところで、上述した緊急沸き上げ運転では、運転終了にあわせて加熱循環ポンプ１０５及び補助加熱循環ポンプ１１６を即座に停止させると、沸き上げ運転の循環回路内に高温水が残留する。残留した高温水の熱量は、その後の放熱により無効熱量となってしまう。
【００２６】
そこで、緊急沸き上げ運転では、運転終了の際に各加熱源（ヒートポンプ式加熱装置１０２、補助加熱装置１１５）を停止させた後、加熱循環ポンプ１０５及び補助加熱循環ポンプ１１６をそれぞれ一定時間動作させ、停止させることが好ましい。加熱循環ポンプ１０５及び補助加熱循環ポンプ１１６を動作させる時間は、それぞれのポンプの能力、およびそれぞれのポンプから貯湯タンク１０１までの配管長に基づいて、湯水がポンプの吐出口から貯湯タンク１０１まで到達する時間を計算して用いればよい。これにより、緊急沸き上げ運転を終了した場合に循環回路内の高温水を貯湯タンクへ供給することができるので、システムのエネルギ効率を更に高めることが可能となる。
【００２７】
なお、この緊急沸き上げ運転の終了時の動作は、上述した沸き上げ運転の終了時においても実行することが好ましい。この場合は、沸き上げ運転の終了の際に加熱循環ポンプ１０５を一定時間動作させた後に停止させることとすればよい。これにより、沸き上げ運転を終了した場合に循環回路内の高温水を貯湯タンクへ供給することができるので、システムのエネルギ効率を更に高めることが可能となる。
【００２８】
このように、本実施の形態のハイブリッド給湯システムによれば、貯湯タンク１０１内の湯量が第一湯量閾値を下回った場合には、ヒートポンプ式加熱装置１０２のみを利用した沸き上げ運転が行われ、当該湯量が第一湯量閾値よりも小さい第二湯量閾値を下回った場合には、ヒートポンプ式加熱装置１０２と補助加熱装置１１５の両方を利用した緊急沸き上げ運転が実行される。このため、本実施の形態のハイブリッド給湯システムによれば、給湯負荷によらず安定して湯を供給することができ、且つエネルギ効率を有効に高めることが可能となる。
【００２９】
また、本実施の形態のハイブリッド給湯システムによれば、加熱循環ポンプ１０５はヒートポンプ式加熱装置１０２の一次側に配置され、また補助加熱循環ポンプ１１６は補助加熱装置１１５の一次側に配置されている。これにより、各ポンプへの高温流入による部品破壊等の懸念がなくなるため、比較的安価な材料で構成したポンプを採用することも可能となる。
【００３０】
実施の形態２．
次に、本発明の実施の形態２のハイブリッド給湯システムについて説明する。実施の形態２のハイブリッド式給湯システムでは、ヒートポンプ式加熱装置１０２が故障した場合に、沸き上げ運転に代えて補助沸き上げ運転を実行する。図７は、発明の実施の形態２におけるハイブリッド給湯システム１００の補助沸き上げ運転時の回路構成図である。制御部１２０は、沸き上げ運転の開始後、一定時間（例えば、１０分）経過時点でヒートポンプ式加熱装置１０２の故障判定を行う。より詳しくは、制御部１２０は、入水温度センサ１０７により検知される入水温度と出湯温度センサ１０８により検知される出湯温度との温度差が基準温度差（例えば、５℃）よりも小さい場合に、ヒートポンプ式加熱装置１０２の故障または加熱循環回路１０６の閉塞故障と判断する。故障が判断されると、制御部１２０は、沸き上げ運転を停止するとともに、補助沸き上げ運転を開始する。補助沸き上げ運転では、制御部１２０は、補助加熱装置１１５と貯湯タンク１０１とが連通するように切替弁１１７を動作させるとともに、補助加熱循環ポンプ１１６を動作させて貯湯タンク１０１下部の低温水を補助加熱装置１１５に供給する。補助加熱装置１１５では、供給された低温水を加熱して高温水を生成する。生成された高温水は貯湯タンク１０１上部から内部に戻されて貯湯される。また、故障が判断されると、制御部１２０は、故障が発生したことをリモコンから音又は表示によって報知する。これにより、ヒートポンプ式加熱装置１０２に故障が発生した場合に、ユーザーが故障修理を迅速に依頼することができるとともに、修理が完了するまでの期間においても、湯切れすることなく通常通りの使用が可能となる。
【００３１】
実施の形態３．
次に、本発明の実施の形態３のハイブリッド給湯システムについて説明する。実施の形態３のハイブリッド式給湯システムでは、沸き上げ運転におけるヒートポンプ式加熱装置１０２の加熱効率と、補助沸き上げ運転における補助加熱装置１１５の加熱効率とを比較し、効率のよい方を選択して沸き上げる点に特徴を有している。
【００３２】
リモコンは、エネルギコストである電力料金情報を入力することが可能に構成されている。また、入水温度センサ１０７により検出されるヒートポンプ式加熱装置１０２への入水温度情報は、ヒートポンプ式加熱装置１０２の加熱能力の指標となる。そこで、制御部１２０は、電力料金情報と入水温度情報に基づいて、沸き上げ運転時の加熱効率を演算する。また、制御部１２０は、補助加熱装置１１５についても同様に、補助加熱装置１１５に使用されるエネルギのエネルギコストと当該装置の加熱能力に基づいて、補助沸き上げ運転時の加熱効率を演算する。そして、制御部１２０は、算出された加熱効率を比較して、沸き上げ運転と補助沸き上げ運転のうち加熱効率のよい方を選択して実施する。
【００３３】
また、沸き上げ開始時点で沸き上げ運転が選択されている場合であっても、入水温度センサ１０７で検出されたヒートポンプ式加熱装置１０２への入水温度が変動した場合は加熱効率の再演算が実施される。その結果、補助沸き上げ運転の加熱効率が沸き上げ運転の加熱効率を上回った時点で、沸き上げ運転を停止して補助沸き上げ運転へと切り替える。これにより、常に良い加熱効率で沸き上げ運転を行うことが可能となるため、機器効率が向上する。
【００３４】
実施の形態４．
次に、本発明の実施の形態４のハイブリッド給湯システムについて説明する。システムが施工されてからユーザーが使用を開始するまでの長期間の不使用期間、または夏場等の温水の需要がない場合は、システムに通電した状態で長期間にわたり待機している状態となる。この場合、循環回路内の湯水の滞留による腐食、不純物の析出又は堆積により加熱循環ポンプ１０５又は補助加熱循環ポンプ１１６が拘束故障する場合がある。
【００３５】
そこで、本実施の形態４のハイブリッド給湯システムでは、加熱循環ポンプ１０５及び補助加熱循環ポンプ１１６の動作実績に基づいて、これらのポンプを定期的に駆動させることとしている。より詳しくは、制御部１２０は、加熱循環ポンプ１０５及び補助加熱循環ポンプ１１６の動作実績を記憶している。そして、前回動作実績からの不動作期間が基準経過時間（例えば、２４時間）を超えた場合に、対称のポンプを一定時間（例えば、３０秒）を動作させる構成としている。これにより、長期間の待機状態においても加熱循環ポンプ１０５及び補助加熱循環ポンプ１１６が拘束する故障を回避することができるので、信頼性が向上する。
【符号の説明】
【００３６】
１００  ハイブリッド給湯システム、１０１  貯湯タンク、１０２  ヒートポンプ式加熱装置（加熱手段）、１０３  ＨＰ往き配管、１０４  ＨＰ戻り配管、１０５  加熱循環ポンプ、１０６  加熱循環回路、１０７  入水温度センサ、１０８  出湯温度センサ、１０９  給水配管、１１０  湯量センサ（湯量検出手段）、１１１  給湯第一配管、１１２  給湯手段、１１３  給湯第二配管、１１４  給湯第三配管、１１５  補助加熱装置（補助加熱手段）、１１６  補助加熱循環ポンプ、１１７  切替弁、１１８  温度センサ、１１９  温度センサ、１２０  制御部
【図１】
2016065685.tif 000003
【図２】
2016065685.tif 000004
【図３】
2016065685.tif 000005
【図４】
2016065685.tif 000006
【図５】
2016065685.tif 000007
【図６】
2016065685.tif 000008
【図７】
2016065685.tif 000009